(57)【要約】【課題】装置本体の前方から見た断面が小さくて小型化が可能で、センサ装置単体で取り扱い易く汎用性の高いセンサ装置を提供することにある。【解決手段】装置本体４は、有底の円筒状のボディ１とボディ１の開口側に設けた広径部１ａ内に嵌着するカバー３とで構成される。ボディ１内に内装される回路基板４は、一端人体検知センサ６をその受光部が一端部の端面に対して外向きで且つ垂直方向となるように一端部に実装し、カバー３の窓孔３ａより人体検知センサ６の受光部を外部に露出させている。【選択図】図１
2006133130.tif 000002
【特許請求の範囲】
【請求項１】
端面に対して垂直方向で且つ受光部が基板外に位置するように一端部に人体検知センサを実装した回路基板と、該回路基板を収納して一端部より前記人体検知センサの受光部を外部に露出させた筒状の装置本体とを備えていることを特徴とするセンサ装置。
【請求項２】
前記回路基板は基板上に実装している信号処理部や電源部に接続された外部接続端子を他端から基板外へ突出するように設け、前記装置本体は外部接続端子を他端部より外部に突出させていることを特徴とする請求項１記載のセンサ装置。
【請求項３】
前記装置本体は一端部付近の外周にフランジ部を突出形成するとともに、該フランジ部近傍で且つ他端部側の外周面に取り付け用ナットを螺合させるねじ部を形成していることを特徴とする請求項１又は２記載のセンサ装置。
【請求項４】
前記人体検知センサの受光部の一部を少なくとも覆うように前記受光部の前方に配置される熱線遮蔽用の遮蔽カバーを前記装置本体に具備していることを特徴とする請求項１乃至３の何れか記載の記載のセンサ装置。
【請求項５】
前記回路基板に動作表示用発光素子と照度センサとを実装し、前記人体検知センサの受光方向と同じ方向で外光を一端で受光するように前記装置本体の一端部側に一端を配置し、他端を前記照度センサの受光面に対向させて一端で受光した光を他端側へ導光させる導光体と、一端を動作表示用発光素子の発光面に対向させ、他端を装置本体の一端部に配置して一端で受光した動作表示用発光素子の光を他端側へ導光させる別の導光体とを備えていることを特徴とする請求項１乃至４の何れか記載のセンサ装置。
【発明の詳細な説明】
【技術分野】
【０００１】
本発明は、機器等に組み込んだり併設するセンサ装置に関するものである。
【背景技術】
【０００２】
従来、人体検知センサ等によって制御を行う機器（例えば特許文献１）が提供されているが、このような機器に用いるセンサ装置は、図６（ａ），（ｂ）に示すように機器に組み込むセンサ、例えば人体検知センサ２０と、この人体検知センサ２０の検知信号を所定の信号に処理するためのロジック回路や、タイマ部からなる信号処理部や、更に電源部等を実装した回路基板２１を機器に対応して設計製造し、図示するように固定用ねじ２２等で回路基板２１を機器の取り付け板２３に取り付け、回路基板２１側の人体検知センサ２０の受光部を取り付け板２３側に設けた窓孔２３ａより露出させる等、それぞれの機器に対応させた取り付け方法で取り付けるセンサ装置を用いるのが一般的である。
【特許文献１】特開平６−２４３３５５号公報（段落番号００１３、図１）
【発明の開示】
【発明が解決しようとする課題】
【０００３】
上記のような機器に夫々対応させるセンサ装置では、機器が少量生産でもセンサ素子の信号処理と最終的には機器として必要な信号処理とを行う回路を設計した上で、実装する回路基板を製造する必要があった。
【０００４】
そのため機器に対応させた付随する構成を含めざるを得なくなり、大型化する上に取り付けのためのスペースを確保しなければならないという問題があった。
【０００５】
本発明は、上記の点に鑑みて為されたもので、その目的とするところは装置本体の前方から見た断面が小さくて小型化が可能で、センサ装置単体で取り扱い易く汎用性の高いセンサ装置を提供することにある。
【課題を解決するための手段】
【０００６】
請求項１の発明では、端面に対して垂直方向で且つ受光部が基板外に位置するように一端部に人体検知センサを実装した回路基板と、該回路基板の収納して一端部より前記人体検知センサの受光部を外部に露出させた筒状の装置本体とを備えていることを特徴とする。
【０００７】
請求項１の発明によれば、装置本体の前方から見たときの断面を小さく、小型化が可能で、装置単体で取り扱い易くなり、汎用性の高いセンサ装置を実現することが可能となる。
【０００８】
請求項２の発明では、請求項１の発明において、前記回路基板は基板上に実装している信号処理部や電源部に接続された外部接続端子を他端から基板外へ突出するように設け、前記装置本体は外部接続端子を他端部より外部に突出させていることを特徴とする。
【０００９】
請求項２の発明によれば、装置本体を前方から見た断面内に外部接続端子を配置することが可能となって大型化せず、しかも機器等に組み込む場合に機器側として必要な回路との間の結線が外部接続端子により簡単に行え、そのため各種機器に使用可能な汎用で且つ小型なセンサ装置を実現できる。
【００１０】
請求項３の発明では、請求項１又は２の発明において、前記装置本体は一端部付近の外周にフランジ部を突出形成するとともに、該フランジ部近傍で且つ他端部側の外周面に取り付け用ナットを螺合させるねじ部を形成していることを特徴とする。
【００１１】
請求項３の発明によれば、取り付け対象のパネルに設けた取り付け孔に装置本体を通し、フランジ部とねじ部に螺合させた取り付け用ナットでパネルを挟持させるだけで、パネルへの取り付けが容易に行えることになり、しかもパネルへの取り付けのためのスペースも小さくて済む。
【００１２】
請求項４の発明では、請求項１乃至３の何れかの発明において、前記人体検知センサの受光部の一部を少なくとも覆うように前記受光部の前方に配置される熱線遮蔽用の遮蔽カバーを前記装置本体に具備していることを特徴とする。
【００１３】
請求項４の発明によれば装置本体を大型化することなく、検知設定エリアを設定する機能を持つセンサ装置を実現できる。
【００１４】
請求項５の発明では、請求項１乃至４の何れかの発明において、前記回路基板に動作表示用発光素子と照度センサとを実装し、前記人体検知センサの受光方向と同じ方向で外光を一端で受光するように前記装置本体の一端部側に一端を配置し、他端を前記照度センサの受光面に対向させて一端で受光した光を他端側へ導光させる導光体と、一端を動作表示用発光素子の発光面に対向させ、他端を装置本体の一端部に配置して一端で受光した動作表示用発光素子の光を他端側へ導光させる別の導光体とを備えていることを特徴とする。
【００１５】
請求項５の発明によれば、装置本体を大型化することなく、人体検知センサと同じ方向から受光する照度センサを備えた複合型センサ装置を実現でき、しかも動作状態表示を装置本体の前方から視認できる動作表示機能も装置本体を大型化することなく備えることができる。
【発明の効果】
【００１６】
本発明は、装置本体の前方から見たときの断面を小さくすることができ、装置単体で取り扱い易い小型なセンサ装置を実現することが可能となるという効果がある。
【発明を実施するための最良の形態】
【００１７】
以下本発明を実施形態により説明する。
（実施形態１）
本実施形態は図１（ａ）〜図１（ｃ）に示すように有底の円筒状のボディ１とボディ１の開口側に設けた広径部１ａ内に嵌着するカバー３とで装置本体２を構成しており、ボディ１内には回路基板４が内装される。
【００１８】
回路基板４は、一端部に焦電素子等により構成される人体検知センサ６をその受光部が外向きで基板外へ突出し且つ一端部の端面に対して垂直方向となるように実装し、基板面上には人体検知センサ６の検知信号を処理する信号処理部（図示せず）、タイマ部（図示せず）、これら人体検知センサ６やタイマ部を含む信号処理部に動作電源を供給する電源部（図示せず）を構成する電子チップや可変抵抗器等の回路素子７を実装し、更に他端部には信号処理部や電源部に接続された電源用、出力用、グランド（共通）用の各外部出力端子５を基板外へ突出するように実装してある。
【００１９】
尚、本実施形態では外部出力端子５を３個実装しているが、信号処理部等の構成によっては２個又は４個以上としても良いことは勿論である。
【００２０】
而して上述のように構成した回路基板４は各外部出力端子５をボディ１の底部に形成した夫々に対応する挿入孔８より外部に突出させるとともに他端部をボディ１の底部に載せ、垂立される形でボディ１内に収納される。
【００２１】
この収納配置によって回路基板４の一端部側の人体検知センサ６はボディ１の広径部１ａ内に配置され、人体検知センサ６の受光部が開口部からボディ１の外部に臨むことになる。ここでボディ１の広径部１ａ内にカバー３を嵌めて開口部に被着させると、カバー３の窓孔３ａより人体検知センサ６の受光部が外部に露出し、前方からの熱線Ｘを検知することができることになる。
【００２２】
尚ボディ１の広径部１ａの外径をカバー３の外径より小さくしておき、ボディ１の広径部１ａの外にカバー３を嵌めるように構成しても良い。
【００２３】
以上のように構成された本実施形態のセンサ装置では、人体検知センサ６を回路基板４の端面に対して垂直方向に実装する構成とすることで、人体検知センサ６の前面方向から見た装置本体２の断面を小さくし、装置全体の小型化を図り、また取り付け部位のスペースが小さくなるようにしている。
【００２４】
またユーザーはボディ１の底部より突出してる電源用、出力用、グランド用の各外部接続端子５と機器側回路部との間で結線するだけで、センサ装置を使用することができることになる。
【００２５】
尚外部接続端子５をコネクタ接続する端子形状とすれば、該外部接続端子５への結線も容易に行える。
【００２６】
（実施形態２）
本実施形態は制御盤などのパネルに簡単に取り付けるために、図２（ａ）に示すように広径部１ａの後端部近辺で該後端部より後方、つまりボディ１の他端部側の外周面に雄ねじ部１ｂを形成したものである。尚その他の構成は実施形態１と同じであるので、同じ構成要素には同じ符号を付して説明を省略する。
【００２７】
而して本実施形態のセンサ装置を制御盤などの取り付ける場合には、図２（ｂ）に示すように取り付け用のパネル９に穿孔したボディ１の外径よりやや大きな内径を有する取り付け孔６ａに対して装置本体２のボディ１をパネル９の前面側から広径部１ａの後端部により構成されるフランジ部がパネル９の前面に当たる位置まで挿入し、パネル９の後面側に突出したボディ１に対して図３（ａ）（又は（ｂ））に示す周り止めワッシャ９を被挿した状態で雄ねじ部１ｂに対して取り付け用ナット１１を螺合締結する。これによりボディ１の広径部１ａの後部からなるフランジ部とナット１１とがワッシャ９を介してパネル９を挟み込み、図２（ｃ）に示すように装置本体１をパネル９に取り付けることができるのである。
【００２８】
以上の本実施形態では制御盤などのパネル９に、ボディ１側の雄ねじ部１ｂとワッシャ１０，ナット１１とで簡単に取り付けることができる。また取り付けた状態で人体検知センサ５の受光面が外部に飛び出す形となり、検知方向の位置合わせも容易に行えることになる。
【００２９】
尚ボディ１の広経部１ａの外にカバー３を嵌めた構成による場合にはカバー３のが異種にねじ部を構成すれば良い。また広径部１ａ（カバー３）とナット１１に形成するねじ部は、広径部１ａ（カバー３）が雌ねじで、ナット１１が雄ねじでも良いことは勿論である。
【００３０】
（実施形態３）
本実施形態は図４（ａ）、（ｂ）に示すようにカバー３の窓孔３ａより前方に露出する人体検知センサ５の受光部の一部を覆って人体からの熱線を一部遮蔽し、図４（ｃ）に示すように検知可能エリアＡを設定する略半球状の遮蔽カバー１２を具備したものである、この遮蔽カバー１２は例えばカバー３に回転自在に設け、遮蔽カバー１２を回転させて検知可能エリアＡを自在に設定できるようにしてある。勿論カバー３に対して一体にカバー３ごと回転させることで検知可能エリアＡを設定する構成としても良い。
【００３１】
尚その他の構成は実施形態１と同じであるので、一部省略し、同じ構成要素には同じ符号を付す。
【００３２】
而して本実施形態のセンサ装置によれば、生産設備に取り付けて使用するような場合、設備機器の熱源からの熱線による誤動作を防ぐように検知可能エリアＡを遮蔽カバー１２で設定することが可能となる。
【００３３】
図示した実施形態では実施形態１の雄ねじ部なしのボディ１に対応させたものであるが、実施形態２のボディ１に対応させることができるのは勿論である。
（実施形態４）
本実施形態は人体検知センサ５以外に図５（ｂ）に示すように照度センサ（明るさ検知センサ）１３及び動作表示用発光素子たる発光ダイオード１４を備えたものである。つまり図５（ｂ）に示すように人体検知センサ５の実装位置より後方の基板面の一方側に照度センサ１３のチップをその受光面が基板面に対して外向きで垂直となるように実装し、またその反対側の基板面には発光ダイオード１４のチップをその発光面が基板面に対して外向きで垂直となる実装し、またカバー３を光透過性、つまり透明な樹脂成形品により形成して、カバー３外からの光が照度センサ１３で受光できるように一端面をカバー３の裏面に当接し、他端面を照度センサ１３の受光面に対向当接させた導光体１５ａと、一端面を動作表示用発光ダイオード１４の発光面に対向当接し、他端面をカバー３の裏面に当接させた導光体１５ｂとを夫々具備している。尚導光体１５ａ，１５ｂの一端が当接するカバー３の裏面の位置は人体検知センサ５を露出させる窓孔３ａの両側（図では上下側）としている。
【００３４】
尚その他の構造は実施形態１〜３の何れでも良いので特にここでは図示していない。
【００３５】
而して本実施形態では設置場所の外光はカバー３を透過して導光体１５ａの一端面に入射して導光体１５ａ内を他端面側に導光され、更にこの他端面から出射して照度センサ１３の受光面に入射されることになる。これにより照度センサ１３は外光を受光して設置場所での照度を検知することができることになる。
【００３６】
また動作表示用発光ダイオード１４から出た光は導光体１５ｂの一端面に入射して導光体１５ｂ内を他端面側に導光されて他端面より出射される。この出射した光はカバー３を透過して装置本体２の前方から視認できることになる。これによりユーザーはセンサ装置が動作中であるか否かを知ることができる。
【００３７】
以上のように本実施形態では人体検知センサ５の熱線の受光方向と同じ受光方向を持つ照度センサ１３を具備した複合型センサ装置を実現でき、また動作状態を示す発光ダイオード１４の光をカバー３の前方から視認することができる。
【図面の簡単な説明】
【００３８】
【図１】実施形態１を示すものであって、（ａ）は分解斜視図、（ｂ）は断面図、（ｃ）は側面図である。
【図２】実施形態２を示すものであって、（ａ）は側面図、（ｂ）はパネルへの取り付け説明図、（ｃ）はパネルへ取り付けた状態の一部省略した側面図である。
【図３】（ａ）、（ｂ）は夫々実施形態２に用いるワッシャの斜視図である。
【図４】実施形態３を示すものであって、（ａ）は正面図、（ｂ）は一部省略せる側面図、（ｃ）は検知エリアの説明図である。
【図５】実施形態４を示すものであって、（ａ）はカバーの正面図、（ｂ）は一部省略せせる要部の断面図である。
【図６】従来例のパネルへの取り付け状態を示すものであって、（ａ）は一部省略せる正面図、（ｂ）は一部省略せる断面図である。
【符号の説明】
【００３９】
１  ボディ
２  装置本体
３  カバー
３ａ  窓孔
４  回路基板
５  外部接続端子
６  人体検知センサ
７  回路素子
【図１】
2006133130.tif 000003
【図２】
2006133130.tif 000004
【図３】
2006133130.tif 000005
【図４】
2006133130.tif 000006
【図５】
2006133130.tif 000007
【図６】
2006133130.tif 000008